(57)【要約】ポイント業者端末（４）から入力された各社発行のポイントカードに記録されたデータから現在ポイント数を読取る段階（Ｓ３３）と、読取った現在ポイント数を買取金額に換算し、読取った現在ポイント数と換算した買取金額をポイント業者端末に表示する取引明細表示段階（Ｓ３４）と、読取った現在ポイント数を換算した買取金額で買取る旨をポイント業者端末から受取る取引指令受取り段階（Ｓ３５）と、各社発行のポイントカードをポイント業者から受取って取引金額をポイント業者に支払うように促す指示を行う受取指示段階とを備えたポイントを用いた取引方法である。
2002044966.tif 000002
【特許請求の範囲】
【請求項１】
通信回線を介して利用者端末に接続され、この利用者端末の利用者が所有する各社が発行したポイントを一元化した共通ポイントとして算出し利用者に提示することを特徴とするポイントを用いた取引方法。
【請求項２】
請求項１記載のポイントを用いた取引方法において、
前記利用者端末から入力された利用者の名前、住所、メールアドレスを含む個人情報に基づいて、前記利用者を共通ポイントを用いた取引が行える会員として登録する会員登録段階と、
前記利用者を特定するための識別情報を決定する識別情報決定段階と
を備えたことを特徴とするポイントを用いた取引方法。
【請求項３】
請求項２記載のポイントを用いた取引方法において、
前記識別情報を含む情報を記録した共通ポイントカードを前記利用者に送付する指示を出力することを特徴とするポイントを用いた取引方法。
【請求項４】
請求項１記載のポイントを用いた取引方法において、
前記利用者端末から入力された、利用者を特定するための識別情報と、利用者が購入を希望する共通ポイント数とを受取る購入情報受取段階と、
前記識別情報によって特定された利用者が使用できる共通ポイント数に前記利用者が購入を希望する共通ポイント数を加算するポイント加算段階と
を備えたことを特徴とするポイントを用いた取引方法。
【請求項５】
請求項１記載のポイントを用いた取引方法において、
前記通信回線にはポイントカードあるいはポイント自体の売買を取り扱う業者であるポイント業者の所有するポイント業者端末が接続され、
前記ポイント業者端末から入力された、利用者を特定するための識別情報と、利用者が購入を希望する共通ポイント数の情報とを受取る購入情報受取段階と、
前記識別情報によって特定された利用者が使用できる共通ポイント数に前記利用者が購入を希望する共通ポイント数を加算するポイント加算段階と
を備えたことを特徴とするポイントを用いた取引方法。
【請求項６】
請求項５記載のポイントを用いた取引方法において、
前記ポイント業者から前記利用者が購入したポイントの購入代金を受取る指示を出力することを特徴とするポイントを用いた取引方法。
【請求項７】
請求項１記載のポイントを用いた取引方法において、
前記通信回線にはポイントカードあるいはポイント自体の売買を取り扱う業者であるポイント業者の所有するポイント業者端末が接続され、
前記ポイント業者端末から入力された利用者が所有するポイントカードに記録されたデータから現在ポイント数を読取る段階と、
前記読取った現在ポイント数を共通ポイント数に換算するポイント換算段階と、
前記ポイント業者端末から入力された利用者を特定するための識別情報を受取る識別情報受取り段階と、
前記識別情報によって特定された利用者が使用できる共通ポイント数に前記換算された共通ポイント数を加算するポイント加算段階と
を備えたことを特徴とするポイントを用いた取引方法。
【請求項８】
請求項１記載のポイントを用いた取引方法において、
前記通信回線にはポイントカードあるいはポイント自体の売買を取り扱う業者であるポイント業者の所有するポイント業者端末が接続され、
前記ポイント業者端末から入力された利用者が所有するポイントカードに記録されたデータから現在ポイント数を読取る段階と、
前記読取った現在ポイント数を買取金額に換算する買取金額換算段階と、
前記読取った現在ポイント数と前記換算した買取金額をポイント業者端末に表示する取引明細表示段階と、
前記ポイント業者端末から前記読取った現在ポイント数を前記換算した買取金額で買取る旨を受取る取引指令受取り段階と
を備えたことを特徴とするポイントを用いた取引方法。
【請求項９】
請求項８記載のポイントを用いた取引方法において、
前記ポイント業者から前記各社発行のポイントカードを受取って前記取引金額を支払う指示を出力することを特徴とするポイントを用いた取引方法。
【請求項１０】
請求項１記載のポイントを用いた取引方法において、
前記通信回線には共通ポイントによる支払を認めている商店の所有するポイント取扱商店端末が接続され、
前記ポイント取扱商店端末から入力された利用者を特定するための識別情報と支払金額情報とを受取る支払情報受取段階と、
前記受取った支払金額を共通ポイント数に換算する共通ポイント換算段階と、
前記識別情報によって特定された利用者が使用できる共通ポイント数から前記換算された共通ポイント数を減算するポイント減算段階と
を備えたことを特徴とするポイントを用いた取引方法。
【請求項１１】
請求項１０記載のポイントを用いた取引方法において、
前記ポイント取扱商店に前記支払金額を支払うよう指示を出力することを特徴とするポイントを用いた取引方法。
【請求項１２】
請求項１記載のポイントを用いた取引方法において、
前記通信回線はインターネットで構成され、
このインターネット上で電子商取引を行っている商店の内、共通ポイントによる支払を認めている商店の所有するインターネット商店端末が接続され、
前記インターネット商店端末から入力された利用者を特定するための識別情報と支払金額情報とを受取る支払情報受取段階と、
前記受取った支払金額を共通ポイント数に換算する共通ポイント換算段階と、
前記識別情報によって特定された利用者が使用できる共通ポイント数から前記換算された共通ポイント数を減算するポイント減算段階と
を備えたことを特徴とするポイントを用いた取引方法。
【請求項１３】
請求項１２記載のポイントを用いた取引方法において、
前記インターネット商店端末に前記支払金額を支払うよう指示を出力することを特徴とするポイントを用いた取引方法。
【請求項１４】
請求項１記載のポイントを用いた取引方法において、
前記通信回線を介して前記利用者が利用できるポイントによる支払を認めている電子商店街を有し、
前記利用者端末から入力される利用者を特定するための識別情報と支払金額情報とを受取る支払情報受取段階と、
前記受取った支払金額を共通ポイント数に換算する共通ポイント換算段階と、
前記識別情報によって特定された利用者が使用できる共通ポイント数から前記換算された共通ポイント数を減算するポイント減算段階と
を備えたことを特徴とするポイントを用いた取引方法。
【請求項１５】
請求項１４記載のポイントを用いた取引方法において、
前記購入商品を取扱う商店に前記支払金額を支払う指示を出力することを特徴とするポイントを用いた取引方法。
【請求項１６】
請求項１記載のポイントを用いた取引方法において、
前記通信回線を介して前記利用者が利用できるポイントによる支払を認めている電子商店街を有し、
前記利用者端末から入力された選択された利用者を特定するための識別情報と選択された商品に関する情報を受取る選択情報受取段階と、
前記選択された商品に関する選択情報に基づいて当該商品のカタログ情報を利用者端末に表示するカタログ情報表示段階と、
前記カタログ情報表示に併せて前記識別情報によって特定された利用者が使用できる共通ポイント数に所定数の共通ポイント数を加算するポイント加算段階と、
前記カタログ情報表示に併せて前記選択された商品を取扱う商店用のデータエリアに前記カタログ情報を表示した回数を記録する閲覧回数記録段階と
を備えたことを特徴とするポイントを用いた取引方法。
【請求項１７】
請求項１６記載のポイントを用いた取引方法において、
前記選択された商品を取扱う商店に対して記録された閲覧回数に応じた金額の支払を求める指示を出力することを特徴とするポイントを用いた取引方法。
【請求項１８】
各社が発行したポイントを一元化した共通ポイントを用いた取引サービスをそのサービスを受けることのできる会員に提供するポイント取引装置において、
インターネット上に公開したホームページを介して入力される情報に応じて取引サービスの必要な機能を起動させるホームページ表示部と、
インターネットを用いて利用者が共通ポイントを購入することを可能とするネット購入部と、
会員が所有する各社が発行したポイントを利用者から買取って、通貨あるいは一元化した共通ポイントで会員に支払うことを可能とする各社カードポイント買取部と、
会員が所有する共通ポイントを会員から買取って、通貨で会員に支払うことを可能とする共通カードポイント買取り部と、
共通ポイントによる取引ができる会員の氏名等を含む個人に関するデータを記憶した会員データメモリ部と、
各社発行のポイントカードのデータフォーマットを含むカードデータを記憶したポイントデータメモリ部と、
各社発行のポイント及び共通ポイントを買取る際の、換算率を含む基準を記憶したポイント取引基準データメモリ部と
を備えたことを特徴とするポイント取引装置。
【請求項１９】
請求項１８記載のポイント取引装置において、
会員が商店において購入した商品の代金を共通ポイントで支払うことを可能とするポイント支払部と、
会員がインターネット上の電子商店と共通ポイントを用いた電子商取引を可能とするポイント取引部と
を備えたことを特徴とするポイント取引装置。
【請求項２０】
請求項１９記載のポイント取引装置において、
本ポイント取引装置上に設けた電子商店と共通ポイントを用いた電子商取引を可能とするネットショッピング部と、
前記電子商店の商品カタログデータと価格を含む取引条件を記憶したネットショップデータメモリ部と
を備えたことを特徴とするポイント取引装置。
【発明の詳細な説明】
技術分野
この発明は、商品又はサービスを提供する各社が客に発行したポイントを用いて商品等の売買を行うポイントを用いた取引方法及び取引装置に関する。
背景技術
各社とも販売額に応じて発生させたポイントをカード等の形で購買者に付与し、次回以降の取引において、そのポイントを使って購入等ができるポイントカードシステムが使用されている。
このシステムはポイントを累積して使用できるようにすることで購買意欲を増進させる効果を奏するため、各社毎に独自の還元率、換金率を設定して運用が行われている。
しかしながら、このシステムは各社が独自に運用しているものであるため、発行されるカードも各社毎に固有のものとなっている。従って、日常において多数のカードを携行することになり取扱いが煩雑になると共に、小額のポイントカードについてはその後に使用されることが少ないため、購買意欲の増進機能の発揮が妨げられることとなっている。
しかしながら、ポイントカードシステムがさらに広く活用され、また取扱いが簡便なように取り図られたポイントカードシステムについては、未だ開発はされていない状態である。
そこで、この発明は、ポイントを用いた取引において、取扱いが簡便で、ポイントによる取引の適用範囲を広げることができ、もって購買意欲の増進を高めることのできるポイントを用いた取引方法及び装置を提供することを目的とする。
発明の開示
この発明のポイントを用いた取引方法では、各社発行のポイントを合算して１元化した共通のポイントを用いる。
そしてこの共通のポイントを用いた取引方法では必要とするポイント数を売買することができる。
また、この共通ポイントを用いて商店において買い物の支払を行うことができ、インターネットなどでの電子商取引において使用することが可能である。
そして、上記取引においても販売額に応じて共通ポイントを還元するように構成することでさらに購買意欲を高めるように構成する。
発明を実施するための最良の形態
以下、この発明の実施の形態を図面を参照して説明する。
図１は、この発明の一実施形態に係るポイントを用いた取引方法が適用されるネットワークシステムの構成を示している。図１に示すように本ネットワークシステムは、インターネット１に対して接続されている、サービス提供サーバ２（以下、サーバ２と称す）、複数のインターネット商店端末３、複数のポイント業者端末４、複数のポイント取扱商店端末５及び複数の利用者端末６とで構成され、更に各々のポイント業者端末４とポイント取扱商店端末５には読取器７が接続されている。
ここで、サーバ２はポイントを用いた取引サービスを提供するサービス提供業者の所有するコンピュータなどの情報処理端末である。
また、インターネット商店端末３はインターネット上で電子商取引を行っている商店の内、ポイントを用いた取引を認めている商店の情報処理端末、ポイント業者端末４はポイントカードあるいはポイント自体の売買を取り扱う業者が所有する情報処理端末、ポイント取扱商店端末５はポイントカードによる代金の支払ができる商店に備えられている情報端末、利用者端末６は本ポイントを用いた取引方法を利用して商取引等を行おうとしている利用者が所有する情報処理端末である。
そして、読取器７はポイントカードの記録内容を読取り、ポイント業者端末４あるいはポイント取扱商店端末５にその情報を伝えるための装置である。
尚、インターネット商店端末３、ポイント取扱商店端末５及び利用者端末６は、その所有者が利用する機能に応じていずれかの端末となり、必ずしも固定されたものではない。
次に、このインターネットバンキングのサーバ２の具体的構成及び具体的動作を順次説明する。
図２は、サーバ２の概略構成を示すブロック図である。
このサーバ２内には、インターネット１上に自己が作成した各ホームページを公開するとともに、各端末３〜６上で操作入力された各情報を受信し、且つ各種情報交換を実施する通信インターフェース１０が設けられている。
さらに、このサーバ２には、このポイント取引システム（以下「ポイントネットシステム」と称す）の受付などの処理を行うホームページ表示部１１、ポイントネットシステムに新たに加入する利用者の登録サービスを行う会員登録部１２、ポイントを購入する際のサービスを行う共通ポイント購入部１３、各社が発行したポイントカードの買取サービスを行うポイント買取部１４、ポイントを用いた商品等の売買をサービスするショッピング部１５及びこれらのサービスを行うための各種データを記憶してあるメモリ部１７が設けられている。
そして、共通ポイント購入部１３には、インターネットを用いて自宅からポイントが購入できるサービスを行うネット購入部１３ａ及びポイントを販売している販売店においてポイントの購入サービスを行う販売店購入部１３ｂが備えられている。
また、ポイント買取部１４は、各社発行のポイントカードを買取るサービスを行う各社カードポイント買取部１４ａ及び共通ポイントを買取るサービスを行う共通カードポイント買取部１４ｂで構成されている。
また、ショッピング部１５には、ポイントネットシステム上で運営する商店でポイントを用いたショッピングが行えるネットショッピング部１５ａ、ポイントを取扱う商店で買い物をした場合にその商店の店頭でポイントでの支払サービスを行うポイント支払部１５ｂ、インターネット上の商店でポイントを用いたショッピングが行えるポイント取引部１５ｃが備えられている。
そして、メモリ部１７には、ポイントネットシステムを利用することのできる会員の個人情報データを記憶した会員データメモリ１７ａ、ポイントカード発行各社のデータフォーマット等を記憶したポイントデータメモリ１７ｂ、ポイントカードの買取の際の換金基準等を記憶したポイント取引基準データメモリ１７ｃ及びポイントネットシステム上での商品カタログデータや取引条件を記憶したネットショップデータメモリ１７ｄが設けられている。
図３は、ポイントネットシステムに新しく会員登録する場合の利用者端末６とサーバ２との情報授受手順を示す概略のシーケンス図である。
先ず、サーバ２ではホームページ表示部１１が起動して、ポイントネットシステムのホームページを作成して、インターネット上に公開する（Ｓ１）。
図４は、ポイントネットシステムのホームページ２０を示す図である。
ホームページ２０には、既に会員となっている利用者がＩＤとパスワードを入力するパスワード入力欄２１と未加入の利用者が操作する会員登録釦２２が設けられている。
利用者が会員登録釦２２をクリックする（Ｓ２）と、サーバ２では会員登録部１２が起動して図５に示す申込画面２３を表示する（Ｓ３）。
申込欄２４に記載すべき項目の内、銀行名２４ａ、科目２４ｂ及び口座番号２４ｃは利用者がサービス提供業者に支払う代金の引き落とし先を指定するためのものであり、メールアドレス２４ｄはサービス提供業者が連絡をメールで送信する際に必要となるためのものである。
利用者が申込欄２４の各項目に入力して実行釦２５をクリックすると、申込内容がサーバ２に送られる（Ｓ４）。サーバ２では会員登録部１２が起動して申込内容をチェックし、記載不備の有無と重複登録の有無を確認する。チェック結果が正常の場合は、図６に示す申込確認画面２６を利用者端末６に表示する（Ｓ５）。
この申込確認画面２６には、入力された項目と共にＩＤ、パスワード等が表示されている。利用者はこれ以降、このＩＤ、パスワードを用いて本ポイントネットシステムを利用することができる。
利用者は個人情報欄２７に表示された内容を確認した後、実行釦２８をクリックすると、実行指令がサーバ２に送られ（Ｓ６）、サーバ２の会員登録部１２はこの利用者を会員として登録するため、前記個人情報欄２７に表示した内容に基づいて、図７に示す利用者の個人情報データを作成しメモリ部１７の会員データメモリ１７ａに格納する。
そして、前記ＩＤ等の情報を記憶した共通ポイントカードを作成して利用者に送るようサービス提供業者に指示を出す（Ｓ７）。
以上で、会員登録の手続きが完了する。
利用者が続いてポイントネットシステムにアクセスすると、サーバ２のホームページ表示部１１が起動して、利用者端末６の画面に図４に示すホームページ２０を表示する。このホームページ２０のＩＤ入力欄２１ａとパスワード入力欄２１ｂに前記取得したＩＤとパスワードを入力して実行釦２１ｃをクリックするとそのＩＤとパスワードがサーバ２に送られる。
サーバ２のホームページ表示部１１はＩＤとパスワードをチェックし、正しいＩＤとパスワードであれば、利用者端末６に対して図８に示すコンテンツ画面３０を表示する。
コンテンツ画面３０には、ポイントネットシステムのサービス内容である、共通ポイント購入サービス３１、ポイント買取サービス３２及びショッピングサービス３３が表示されている。
そして、共通ポイント購入サービス３１には、ネット購入釦３１ａと販売店購入釦３１ｂが設けられている。
そして、ポイント買取サービス３２には各社カード釦３２ａ及び共通カード釦３２ｂ、ショッピングサービス３３にはネットショッピング釦３３ａ、ポイント支払釦３３ｂ及びポイント取引釦３３ｃが設けられている。
次に、以上の各サービス機能の動作を説明する。
図９は、共通ポイント購入サービスのネット購入機能に関して利用者端末６とサーバ２との情報授受手順を示す概略のシーケンス図である。
利用者がコンテンツ画面３０上でネット購入釦３１ａをクリックする（Ｓ１０）と、共通ポイント購入部１３の内ネット購入部１３ａが起動し図１０に示す申込画面３４が表示される（Ｓ１１）。
申込画面３４の上欄３５には、現在実施中のサービスの名称［共通ポイント購入］が表示され、下欄３６には、現在実施中のサービスに属する機能の名称［ネット購入］が表示される。
利用者は申込画面３４に表示される現在ポイント数３７を参照して、購入するポイント数を申込欄３８に記入するが、申込欄３８の右端にある矢印をクリックしてプルダウンメニュー３９を表示させ、その中から購入するポイント数と価格を選択しても良い。
続いて、利用者が送信釦４０をクリックすると、ポイントの購入情報がサーバ２に送信される（Ｓ１２）。サーバ２ではネット購入部１３ａが受取った申込内容を会員データメモリ１７ａに格納し、図１１に示す確認画面４５を表示する（Ｓ１３）。
確認画面４５には、申込んだポイント購入情報４６と利用者の銀行口座から価格を引き落す旨のメッセージ４７が表示されている。
所定金額の引き落しが完了した旨の情報が入力端末（図示していない）からサーバ２に入力された時点で、ネット購入部１３ａが起動して会員データメモリ１７ａを検索して、該当した利用者の個人情報データに記憶されている現在ポイント数の加算等を行い、更新後の個人情報データを利用者にメールで連絡する（Ｓ１４）。
図１２は、共通ポイント購入サービスの販売店購入機能に関してポイント業者端末４とサーバ２との情報授受手順を示す概略のシーケンス図である。
利用者がポイントをポイント業者店（コンビニエンスストア等も含む）の店頭で購入する場合、ポイント業者がポイント業者端末４のコンテンツ画面３０上の販売店購入釦３１ｂをクリックする（Ｓ２０）と、サーバ２の販売店購入部１３ｂが起動して図１３に示す申込画面５０が表示される（Ｓ２１）。
利用者は申込画面５０に表示された指示に従って、ポイント業者端末４に接続されてある読取器７に共通ポイントカードを読取らせると（Ｓ２２）、共通ポイントカードに記載されてあるＩＤが申込画面５０のＩＤ欄５１に表示される。
利用者がＩＤを確認して、パスワード欄５２にパスワードを入力し実行釦５３をクリックすると、これらの情報がサーバ２に送信される（Ｓ２３）。
サーバ２では、販売店購入部１３ｂが会員データメモリ１７ａを検索して送られたＩＤとパスワードをもつ会員個人情報データがあるかどうかをチェックする。該当した個人情報データがある場合は、そのデータから名前、ＩＤ及び現在ポイント数を抽出して図１４に示す申込画面５５を表示させる（Ｓ２４）。
利用者は、前述の要領で購入するポイント数と価格を申込欄５６に記入し、送信釦５７をクリックすると、ポイントの購入情報がサーバ２に送信される（Ｓ２５）。サーバ２では販売店購入部１３ｂが起動して会員データメモリ１７ａを検索して、該当した利用者の個人情報データに記録されている現在ポイント数の加算等を行い、図１５に示す確認画面６０を表示する（Ｓ２６）。
販売店でポイントを購入する場合は利用者はその場でポイント業者に代金を支払うため、利用者の口座から代金の引き落しを待つ必要がなく、確認画面６０の現在ポイントには購入したポイントを加算した値が表示されている。
続いて、サーバ２は当該ポイント業者の個人情報データ内に本取引において販売した代金等を記載する。そして後日、サービス提供業者はサーバ２からの指示に基づいて当該ポイント業者からポイント購入代金を受取り、当該ポイント業者に手数料を支払う。
図１６は、ポイント買取サービスの各社カード機能に関してポイント業者端末４とサーバ２との情報授受手順を示す概略のシーケンス図である。
利用者が所有している各社発行のポイントカードを、ポイント業者店（コンビニエンスストア等も含む）で売る場合、ポイント業者端末４のコンテンツ画面３０上の各社カード釦３２ａをクリックする（Ｓ３０）と、サーバ２の各社カード部１４が起動して図１７に示す買取画面６５が表示される（Ｓ３１）。
利用者は買取画面６５に表示された指示に従って、ポイント業者端末４に接続されてある読取器７に各社ポイントカードを読取らせると（Ｓ３２）、そのポイントカードに記載されてある情報がサーバ２に送信される（Ｓ３３）。
サーバ２では、各社カードポイント買取部１４ａが送られてきた情報とポイントデータメモリ１７ｂに記載された各社のカードフォーマットとを比較してカード会社名を特定し、残ポイント数を抽出して残ポイント表示欄６６にそれぞれ会社名と残ポイント数を表示する。
利用者は、各社のポイントを現金で受取るか、一元化された共通ポイントで受取るかを選択することができる。この際、各社カードポイント買取部１４ａはポイント取引基準データメモリ１７ｃを参照して利用者に支払うべき支払金額又は一元化された共通ポイント数を以下の手順で算出する。
各社の残ポイントをＰｉ、各社のポイントから金額への換算係数をαｉ、カード枚数に応じて予め定められた割引率をβｋとすると、利用者への支払金額Ｍは式（１）で表わされる。
Ｍ　＝　（Σαｉ・Ｐｉ）・βｋ　　　　…（１）
また、利用者に共通ポイントで支払う場合には、金額から共通ポイントへの換算係数をγとすると、利用者に支払う一元化された共通ポイント数Ｔは式（２）で表わされる。
Ｔ　＝　（Σαｉ・Ｐｉ）・βｋ・γ　　…（２）
これらの算出値は、取引明細欄６７に記載されて表示される（Ｓ３４）。
利用者が現金での取引を希望する場合は、現金釦６８をクリックするとその情報がサーバ２に送られる（Ｓ３５）。サーバ２は現金取引が選択された情報を受取ると当該ポイント業者の個人情報データに支払い代金などを記載する。
利用者が共通ポイントに一元化することを希望する場合は、ポイント釦６９をクリックするとその情報がサーバ２に送られ（Ｓ３６）、各社カードポイント買取部１４ａは図１８に示す共通カード入力指示画面７０を表示する（Ｓ３７）。
利用者は申込画面７０に表示された指示に従って、ポイント業者端末４に接続されてある読取器７に共通ポイントカードを読取らせると（Ｓ３８）、共通ポイントカードに記載されてあるＩＤが申込画面７０のＩＤ欄７１ａに表示される。
利用者がＩＤを確認して、パスワード欄７１ｂにパスワードを入力し実行釦７１ｃをクリックすると、これらの情報がサーバ２に送信される（Ｓ３９）。
サーバ２では、各社カードポイント買取部１４ａが会員データメモリ１７ａを検索して送られたＩＤとパスワードをもつ会員個人情報データがあるかどうかをチェックする。該当した個人情報データがある場合は、それらのデータを図１９に示す買取確認画面７２に表示する（Ｓ４０）。
利用者が内容を確認して実行釦７６をクリックするとその情報がサーバ２に送られ（Ｓ４１），各社カードポイント買取部１４ａは個人情報データの現在ポイント数に一元化した共通ポイント数を加算して更新する。
販売店の店頭でポイント買取を行う場合はポイント業者は代金を利用者に渡しそれと引き換えに利用者から各社のポイントカードを受領する。そして、これらの各社のポイントカードはサーバ２からの指示に基づいて、後日サービス提供業者によって回収され、そのカードと引き換えにポイント業者には、利用者に支払った料金と取扱いの手数料が支払われる。
このようにして回収されたポイントカードは、そのポイントカードを発行した会社との間で換金され、あるいは同一カード会社の小額複数ポイントカードを集約した高額カードと交換され、ポイント業者の店頭においてカード単独で販売される際の便宜を図ることができる。
図２０は、ポイント買取サービスの共通カード機能に関してポイント業者端末４とサーバ２との情報授受手順を示す概略のシーケンス図である。
利用者が所有している共通ポイントカードを、ポイント業者店（コンビニエンスストア等も含む）で売る場合、ポイント業者端末４のコンテンツ画面３０上の共通カード釦３２ｂをクリックする（Ｓ４２）と、サーバ２の共通カードポイント買取部１４ｂが起動して図２１に示すカード入力指示画面７３が表示される（Ｓ４３）。
利用者はカード入力指示画面７３に表示された指示に従って、ポイント業者端末４に接続されてある読取器７に共通ポイントカードを読取らせると（Ｓ４４）、共通ポイントカードに記載されてあるＩＤがカード入力指示画面７３のＩＤ欄７３ａに表示される。
利用者がＩＤを確認して、パスワード欄７３ｂにパスワードを入力し実行釦７３ｃをクリックすると、これらの情報がサーバ２に送信される（Ｓ４５）。
サーバ２では、共通カードポイント買取部１４ｂが会員データメモリ１７ａを検索して送られたＩＤとパスワードをもつ会員個人情報データがあるかどうかをチェックする。該当した個人情報データがある場合は、そのそれらのデータを記載した図２２に示す買取入力画面７４を表示する（Ｓ４６）。
利用者は表示されたＩＤ、現在ポイント数、現在金額を確認して買い取り方法を選択し、買取方法欄７５と買取値欄７６に入力する。買取欄７５でポイントを選択した場合は、買取値欄７６に入力したポイント数が換金されて利用者に支払われ、買取欄７５で金額を選択した場合は、買取値欄７６に入力した金額が利用者に支払われ、その金額に対応するポイント数が使用されたとして処理される。
利用者が入力内容を確認して実行釦７７をクリックするとその情報がサーバ２に送られ（Ｓ４７），共通カードポイント買取部１４ｂは個人情報データの現在ポイント数などを更新する。この時、手数料に対応するポイント数も減算する。
ポイント業者は利用者に対して入力した金額を渡すが、後にポイント業者にはサービス業者から代金と手数料が支払われる。
このようにして、共通カードを用いて利用者は必要なときに必要な額を換金することができる。
図２３は、ショッピングサービス３３のネットショッピング機能３３ａに関して利用者端末６とサーバ２との情報授受手順を示す概略のシーケンス図である。
利用者が利用者端末６のコンテンツ画面３０上でネットショッピング３３ａをクリックする（Ｓ４８）と、サーバ２のネットショッピング部１５ａが起動して図２４に示す分野メニュー画面８０が表示される（Ｓ４９）。
利用者が商品分野表示欄８１に記載された商品分野のいずれか一つを選択してクリックすると（Ｓ５０）、ネットショッピング部１５ａはネットショップデータメモリ１７ｄを検索して当該商品分野に関して登録されている商品データを抽出して、図２５に示す概要カタログ画面８５を利用者端末６に表示する（Ｓ５１）。
概要カタログ画面８５には選択された商品分野の商品が写真表示欄８６と商品説明欄８７に一覧表の形態で表示されている。商品説明欄８７には、その商品の簡単な仕様と共に、その商品の価格が現金とポイント数でも表示され、またこの商品を取扱っている商店名、購入した場合の還元ポイント数が記載されている。
利用者が概要カタログ画面８５を参照して、表示されている商品の内から、更に詳細情報を見たい場合には商品説明欄８７に設けられてある詳細釦８８をクリックすると（Ｓ５２）、ネットショッピング部１５ａはネットショップデータメモリ１７ｄを検索して該当した商品の詳細情報を抽出し図２６に示す詳細カタログ画面９０を表示する（Ｓ５３）。
このショッピングに関する商品情報の掲載に関してはサービス提供業者は当該取扱い商店と契約を結んでおり、その商店からは掲載料とともにその情報の閲覧回数に応じた支払を受けることとしている。そして、利用者にも閲覧に対してポイントを付与するようにしている。
従って、詳細カタログ画面９０を表示した場合には、利用者に対して所定のポイント数を加算し、更にこの商品を取扱っている商店についての閲覧回数を加算する。このためサーバ２では、ネットショッピング部１５ａが先ず会員データメモリ１７ａを検索して個人情報データの現在ポイント数に所定ポイントを加算し、続いてネットショップデータメモリ１７ｄに設けられている、該当した商店の閲覧回数の記憶領域をカウントアップする。
以上のようにして、商店毎に加算された閲覧回数は定期的に集計され、当該商店に対する支払請求の一部として用いられる。
利用者が詳細カタログ画面９０を参照して当該商品の購入を希望する場合、この詳細カタログ画面９０に設けられた購入釦９１をクリックすると、この商品の購入情報がサーバ２に送られ（Ｓ５４）、ネットショッピング部１５ａは図２７に示す支払入力画面９５を利用者端末に表示する（Ｓ５５）。
利用者は支払方法欄９６をクリックして支払方法を入力し、支払額欄９７にポイントで支払う金額または利用者の口座から引き落す金額を記入する。ここで、支払方法はポイントと金額を組み合わせて指定することも可能である。次に、ＩＤとパスワードをそれぞれＩＤ欄９８とパスワード欄９９に入力して送信釦１００をクリックすると購入情報がサーバ２に送られる（Ｓ５６）。
ネットショッピング部１５ａは送られた購入情報に基づいて会員データメモリ１７ａを検索して現在ポイント数で支払可能かどうか等のチェックを行い、問題がなければ個人情報データ中のネット取引金額累計、ネット取引利用回数を更新する。
そして、現在ポイント数から支払われるべきポイント数を差し引き、さらに購入金額に応じた還元ポイント数を加算する。ここで、還元ポイント数は、個人情報データ中のネット取引金額累計、ネット取引利用回数等で変化させても良い。
この後、商品取扱い商店に対して利用者宛に商品の発送を指示するとともに、その商品の代金を当該商店に支払うようにサービス提供業者に指示する。
図２８は、ショッピングサービス３３のポイント支払機能３３ｂに関してポイント取扱商店端末５とサーバ２との情報授受手順を示す概略のシーケンス図である。
利用者は直接商店に出向いて商品等を購入した場合、その支払を共通ポイントカードを用いて行うことができる。
当該商店の会計担当者に対して、利用者が共通ポイントカードを用いて支払いたいとの希望を申し出た場合は、会計担当者はポイント取扱商店端末５のコンテンツ画面３０上でポイント支払３３ｂをクリックする（Ｓ６０）と、サーバ２のポイント支払部１５ｂが起動して図２９に示す申込画面１０５が表示される（Ｓ６１）。
会計担当者は申込画面１０５に表示された指示に従って、ポイント取扱商店端末５に接続されてある読取器７に共通ポイントカードを読取らせると（Ｓ６２）、共通ポイントカードに記載されてあるＩＤが申込画面１０５のＩＤ欄１０６に表示される。
利用者がＩＤを確認して、パスワード欄１０７にパスワードを入力し実行釦１０８をクリックすると、これらの情報がサーバ２に送信される（Ｓ６３）。
サーバ２では、ポイント支払部１５ｂが会員データメモリ１７ａを検索して送られたＩＤとパスワードをもつ会員個人情報データがあるかどうかをチェックする。該当した個人情報データがある場合は、そのデータから名前、ＩＤ、現在ポイント数及び換算した金額を抽出して図３０に示す確認画面１１０を表示させる（Ｓ６４）。
利用者は名前、ＩＤを確認後、現在金額を参照して支払方法を決定し、ポイントによる支払を行う場合には継続釦１１１をクリックするとその指示がサーバ２に送られる（Ｓ６５）。サーバ２では、ポイント支払部１５ｂが起動して図３１に示す支払入力画面１１５を表示する（Ｓ６６）。
会計担当者は商品の価格を商品価格欄１１６に入力し、ポイントで支払う金額を支払金額欄１１７に入力して、実行釦１１８をクリックすると金額情報がサーバ２に送られる（Ｓ６７）。
ポイント支払部１５ｂは利用者の個人情報データを抽出して、支払金額に相当するポイント数を現在ポイント数から差引くと共に、還元ポイント数を現在ポイント数に加算する。ここで、加算する還元ポイント数は前述の方法で算出したものを使用しても良い。そして、これらの結果を図３２に示す確認画面１２０に表示する（Ｓ６８）とともに、ポイント取扱い商店に代金を支払うようサービス提供業者に指示する。
図３３は、ショッピングサービス３３のポイント取引機能３３ｃに関してインターネット商店端末３とサーバ２との情報授受手順を示す概略のシーケンス図である。
利用者はインターネット上の商店でショッピングを行った場合、その支払いを共通ポイントによって行うことができる。
利用者が商品の購入を申し込むと（Ｓ７０）、図３４に示す申込画面１２５が表示される（Ｓ７１）。
利用者は支払方法欄１２６をクリックして支払方法を入力し、支払額欄１２７にポイントで支払う金額または商店の口座に振込む金額を記入する。ここで、支払方法はポイントと口座振込みを組み合わせて指定することも可能である。次に、ＩＤとパスワードをそれぞれＩＤ欄１２８とパスワード欄１２９に入力し送信釦１３０をクリックすれば支払情報がインターネット商店に送られる（Ｓ７２）。
インターネット商店では、ポイントによる取引の申込がされた場合は、操作者がインターネット商店端末３のコンテンツ画面３０上でポイント取引３３ｃをクリックする（Ｓ７３）と、サーバ２のポイント取引部１５ｃが起動して図３５に示す照会申込画面１３５が表示される（Ｓ７４）。
操作者が利用者から送られたＩＤとパスワードをＩＤ欄１３６とパスワード欄１３７に入力して実行釦１３８をクリックするとその情報がサーバ２に送られ（Ｓ７５）、サーバ２では、ポイント取引部１５ｃが会員データメモリ１７ａを検索して送られたＩＤとパスワードをもつ会員個人情報データがあるかどうかをチェックする。該当した個人情報データがある場合は、そのデータから名前、ＩＤ及び現在ポイント数、換算した現在金額を抽出して図３６に示す照会画面１４０を表示する（Ｓ７６）。
操作者は名前、ＩＤを確認後、現在金額を参照して利用者から申し出のあったポイントによる支払が可能かどうかをチェックする。ポイントが不足している場合は利用者に対してその旨のメールを送信する（Ｓ７７）。ポイントの支払が可能である場合は継続釦１４１をクリックして処理の継続をサーバ２に送信する（Ｓ７８）と、ポイント取引部１５ｃは図３７に示す取引入力画面１４５を表示する（Ｓ７９）。
会計担当者は商品の価格を商品価格欄１４６に入力し、ポイントで支払う金額を支払金額欄１４７に入力して、実行釦１４８をクリックすると金額情報がサーバ２に送られる（Ｓ８０）。
ポイント取引部１５ｃは利用者の個人情報データを抽出して、支払金額に相当するポイント数を現在ポイント数から差引くと共に、還元ポイント数を現在ポイント数に加算する。そして、インターネット商店に代金を支払うようサービス提供業者に指示する。
一方、インターネット商店では、サービス提供業者からの支払いと利用者からの振込みを確認して、商品の発送を行うとともに利用者に対して発送を行う旨のメールを送信する（Ｓ８１）。
産業上の利用可能性
以上説明したようにこの発明は、インターネットを利用したサービス事業を実現するビジネスの分野、このサービス事業に用いられる情報記憶媒体を製造、使用する分野、この情報記憶媒体を記憶再生可能な装置の技術分野に有効である。
【図面の簡単な説明】
図１はこの発明の一実施形態に係るポイントを用いた取引方法が適用されるネットワークシステムの構成を示す説明図。
図２はサーバ２の概略構成を示すブロック図。
図３はポイントネットシステムに新しく会員登録する場合の利用者端末６とサーバ２との情報授受手順を示す概略のシーケンス図。
図４はポイントネットシステムのホームページ２０を示す図。
図５は申込画面を示す図。
図６は申込確認画面を示す図。
図７は利用者の個人情報データを示す図。
図８はコンテンツ画面を示す図。
図９は共通ポイント購入サービスのネット購入機能に関して利用者端末６とサーバ２との情報授受手順を示す概略のシーケンス図。
図１０は申込画面を示す図。
図１１は確認画面を示す図。
図１２は共通ポイント購入サービスの販売店購入機能に関してポイント業者端末４とサーバ２との情報授受手順を示す概略のシーケンス図。
図１３は申込画面を示す図。
図１４は申込画面を示す図。
図１５は確認画面を示す図。
図１６はポイント買取サービスに関してポイント業者端末４とサーバ２との情報授受手順を示す概略のシーケンス図。
図１７は買取画面を示す図。
図１８は共通カード入力指示画面を示す図。
図１９は買取確認画面を示す図。
図２０はポイント買取サービスの共通カード機能に関してポイント業者端末４とサーバ２との情報授受手順を示す概略のシーケンス図。
図２１はカード入力指示画面を示す図。
図２２は買取入力画面を示す図。
図２３はショッピングサービス３３のネットショッピング機能３３ａに関して利用者端末６とサーバ２との情報授受手順を示す概略のシーケンス図。
図２４は分野メニュー画面を示す図。
図２５は概要カタログ画面を示す図。
図２６は詳細カタログ画面を示す図。
図２７は支払入力画面を示す図。
図２８はショッピングサービス３３のポイント支払機能３３ｂに関してポイント取扱商店端末５とサーバ２との情報授受手順を示す概略のシーケンス図。
図２９は申込画面を示す図。
図３０は確認画面を示す図。
図３１は支払入力画面を示す図。
図３２は確認画面を示す図。
図３３はショッピングサービス３３のポイント取引機能３３ｃに関してインターネット商店端末３とサーバ２との情報授受手順を示す概略のシーケンス図。
図３４は申込画面を示す図。
図３５は照会申込画面を示す図。
図３６は照会画面を示す図。
図３７は取引入力画面を示す図。
【図１】
2002044966.tif 000003
【図２】
2002044966.tif 000004
【図３】
2002044966.tif 000005
【図４】
2002044966.tif 000006
【図５】
2002044966.tif 000007
【図６】
2002044966.tif 000008
【図７】
2002044966.tif 000009
【図８】
2002044966.tif 000010
【図９】
2002044966.tif 000011
【図１０】
2002044966.tif 000012
【図１１】
2002044966.tif 000013
【図１２】
2002044966.tif 000014
【図１３】
2002044966.tif 000015
【図１４】
2002044966.tif 000016
【図１５】
2002044966.tif 000017
【図１６】
2002044966.tif 000018
【図１７】
2002044966.tif 000019
【図１８】
2002044966.tif 000020
【図１９】
2002044966.tif 000021
【図２０】
2002044966.tif 000022
【図２１】
2002044966.tif 000023
【図２２】
2002044966.tif 000024
【図２３】
2002044966.tif 000025
【図２４】
2002044966.tif 000026
【図２５】
2002044966.tif 000027
【図２６】
2002044966.tif 000028
【図２７】
2002044966.tif 000029
【図２８】
2002044966.tif 000030
【図２９】
2002044966.tif 000031
【図３０】
2002044966.tif 000032
【図３１】
2002044966.tif 000033
【図３２】
2002044966.tif 000034
【図３３】
2002044966.tif 000035
【図３４】
2002044966.tif 000036
【図３５】
2002044966.tif 000037
【図３６】
2002044966.tif 000038
【図３７】
2002044966.tif 000039
【国際調査報告】
2002044966.tif 000040
2002044966.tif 000041